(57)【要約】【課題】            本発明は、ファンデーション、白粉などの粉状化粧料を圧縮充填した収納皿を着脱可能に収納する粉状化粧料容器に関するものである。【解決手段】        一端に蓋体を開閉自在に蝶着した容器本体上面に、底の浅い皿状に成形され、粉状化粧料を圧縮充填した収納皿を取り外し可能に装着できる化粧料収納室を設けた構成において、前記収納皿の平面形状は、少なくとも対向した位置に一対のコーナー部が設けられ、該コーナー部の外側壁に被係合部を設け、前記化粧料収納室の平面形状は収納皿と相似形状をしており、該化粧料収納室内壁のコーナー部に弾性を付与させ、たわみ可能に構成し、該コーナー部の側壁に収納皿の被係合部と取り外し可能に係合する係合部を設け、収納皿をコーナー部で保持させる。また、前記収納皿および化粧料収納室の平面形状が略四角形とする。また、前記収納皿および化粧料収納室のコーナー部がアール形状にする。【選択図】          図１
2005052506.tif 000002
【特許請求の範囲】
【請求項１】
一端に蓋体８を開閉自在に蝶着した容器本体６上面に、底の浅い皿状に成形され、粉状化粧料１を圧縮充填した収納皿２１を取り外し可能に装着できる化粧料収納室３５ａを設けた構成において、
前記収納皿２１の平面形状は、少なくとも対向した位置に一対のコーナー部１３６が設けられ、該コーナー部１３６の外側壁に被係合部１２０ａを設け、前記化粧料収納室３５ａの平面形状は収納皿２１と相似形状をしており、該化粧料収納室３５ａ内壁のコーナー部２３６に弾性を付与させ、たわみ可能に構成し、該コーナー部２３６の側壁に収納皿２１の被係合部１２０ａと取り外し可能に係合する係合部１２０を設け、収納皿２１をコーナー部１３６、２３６で保持させた事を特徴とする粉状化粧料容器。
【請求項２】
前記収納皿２１および化粧料収納室３５ａの平面形状が略四角形である事を特徴とする請求項１記載の粉状化粧料容器。
【請求項３】
前記収納皿２１および化粧料収納室３５ａのコーナー部１３６、２３６がアール形状となっていることを特徴とする請求項１、２記載の粉状化粧料容器。
【発明の詳細な説明】
【技術分野】
【０００１】
本発明は、ファンデーション、白粉などの粉状化粧料を皿状の収納皿に圧縮充填して収納する粉状化粧料容器の改良に関するものである。
【背景技術】
【０００２】
従来、ファンデーション、白粉などの粉状化粧料は、皿状の収納皿に圧縮充填して、収納皿内に固形化し、容器内に収納されていた。そして、この収納皿の側壁には、係合部が設けられ、容器内に取り外し可能に係合保持されていた（例えば特許文献１参照。）。また、圧縮固形化された粉状化粧料は、大変割れやすく、収納皿の着脱時など、若干の収納皿の変形により、化粧料が割れてしまったり、収納皿より脱落してしまったりした。そこで、収納皿の肉厚を増加させる、収納皿の上端にフランジを設ける、収納皿の底に強化リブを設けるなどして収納皿の強度を増加させていた（例えば特許文献２参照。）。
【０００３】
【特許文献１】実開平３−２４０１２号公報（第１図）
【０００４】
【特許文献２】実開昭６１−１８４５０７号公報（第５図）
【発明の開示】
【発明が解決しようとする課題】
【０００５】
しかし、収納皿の上端にフランジを設けた構成は、収納皿の大きさの割に、少ない化粧料しか収納できなかった。また、収納皿にフランジを設けなかった場合には、収納皿の壁面の強度が不足し、特に平面形状が角形の収納皿の場合、壁面の平面部分の強度アップは困難であった。しかし、平面形状が角形の収納皿の場合、係合部が収納皿壁面の平面部に設けられていた（特許文献１、２参照。）。したがって、収納皿の着脱時に収納皿の壁面の平面部分に応力が加わり、壁面が変形して収納した化粧料に悪影響を与える危険性があった。
【課題を解決するための手段】
【０００６】
一端に蓋体８を開閉自在に蝶着した容器本体６上面に、底の浅い皿状に成形され、粉状化粧料１を圧縮充填した収納皿２１を取り外し可能に装着できる化粧料収納室３５ａを設けた構成において、前記収納皿２１の平面形状は、少なくとも対向した位置に一対のコーナー部１３６が設けられ、前記化粧料収納室３５ａの平面形状は収納皿２１と相似形状をしており、該化粧料収納室３５ａ内壁のコーナー部２３６に弾性を付与させ、たわみ可能に構成し、前記収納皿２１のコーナー部１３６と化粧料収納室３５ａのコーナー部２３６に被係合部１２０ａと係合部１２０を突設して、それぞれを係合させ収納皿２１をコーナー部１３６、２３６で保持させる。また、前記収納皿２１および化粧料収納室３５ａの平面形状が略四角形とする。また、前記収納皿２１および化粧料収納室３５ａのコーナー部１３６、２３６がアール形状にする。
【発明の効果】
【０００７】
本発明は以上のように、収納皿２１を強度のあるコーナー部１３６で保持させたため、収納皿２１の着脱時に収納皿２１が変形する事無く、粉状化粧料１を損傷させてしまう事故を完全に防止している。したがって、収納皿２１の変形を防止する手段、肉厚の増加、強化リブの追加、上端のフランジの追加などの手段を講じる必要がない。
【発明を実施するための最良の形態】
【０００８】
底の浅い皿状に成形された収納皿２１は、ファンデーション、白粉などの粉状化粧料１が圧縮充填されている。この収納皿２１の平面形状は、少なくとも１対のコーナー部１３６が設けられている。このコーナー部１３６は、対向した位置に設けられている。
【０００９】
次にこの収納皿２１を収容するコンパクト容器について説明する。コンパクト容器は、少なくとも容器本体６と蓋体８とより構成され、それぞれの一端が蝶番２４により開閉自在に蝶着している。また、容器本体６と蓋体８の反蝶番２４側には、蓋体８を閉じた状態で保持し、かつ任意でその保持を解除できる閉鎖部材３２が設けられている。蓋体８下面には、鏡２２が貼着されている。
【００１０】
容器本体６の上面には、少なくとも収納皿２１が収納される化粧料収納室３５ａが刻設されている。この化粧料収納室３５ａの平面形状は、収納皿２１の平面形状と相似形状をしており、収納皿２１を収納できるようになっている。この化粧料収納室３５ａのコーナー部２３６内側壁は、弾性を有してたわみ可能に構成されている。
【００１１】
そして、前記収納皿２１のコーナー部１３６外壁と、化粧料収納室３５ａのコーナー部２３６内壁には、被係合部１２０ａと係合部１２０を突設し、それぞれを係合させる事により化粧料収納室３５ａ内に収納された収納皿２１を係合保持させるようになっている。また、化粧料収納室３５ａ内には、化粧料収納室３５ａ内に装着された収納皿２１を任意で取り外しできる着脱機構３６を設けている。
【実施例１】
【００１２】
本発明を実施する場合、収納皿２１の平面形状は、少なくとも１対のコーナー部１３６が設けられた形状であれば実施可能であるが、多面体形状でも良いが、四角形状程度が望ましい。また、コーナー部１３６にはアールが付いていたほうがよく、そのアールの大きさは、収納皿２１の大きさにもよるが、Ｒ１程度からＲ１５程度が望ましい。
【００１３】
また、コンパクト容器の閉鎖部材３２は、蓋体８を閉じた状態で保持し、かつ任意でその保持を解除できる構成であれば一般的な公知の構成が利用可能である。その一例として以下に説明する。容器本体６の反蝶番２４がわ側壁に、上面にも開溝した凹部１３２ｃを刻設し、この凹部１３２ｃの側面に突起１２８ａを突設し、蓋体８の反蝶番２４がわ端部下面に容器本体６の突起１２８ａと着脱可能に係合して蓋体８が閉じた状態で保持されるフック２０を垂下させる。この構成の場合、容器本体６の突起１２８ａと蓋体８のフック２０が係合して蓋体８が閉じた状態で保持され、フック２０の係合力以上の力で蓋体８を開けば、突起１２８ａとフック２０の係合が解除され、蓋体８が開放できる。
【００１４】
また、コンパクト容器は、化粧料収納室３５ａばかりでなく、パフやチークブラシなどの塗布具３１ａを収納する塗布具収納室３５ｂを併設することも可能である。この場合、図示しないが、化粧料収納室３５ａと塗布具収納室３５ｂとを並列に設ける事も、容器本体６と蓋体８の間に中枠を蝶着し、この中枠のどちらか一方に化粧料収納室３５ａを、他方に塗布具収納室３５ｂを設け、上下に配置することも可能である。
【００１５】
また、化粧料収納室３５ａの平面形状も前述した収納皿２１と同様に、四角形状程度が望ましい。また、コーナー部２３６にはアールが付いていたほうがよく、そのアールの大きさは、収納皿２１の大きさにもよるが、Ｒ１程度からＲ１５程度が望ましい。
【００１６】
また、装着された収納皿２１を取り外しできる着脱機構３６は、任意でその保持を解除できる構成であれば一般的な公知の構成が利用可能である。一例を以下に示す。化粧料収納室３５ａの底面には、裏面にまで貫通した小孔１１９ａが穿設されている。そして、収納皿２１の取り外し時には、小孔１１９ａよりピンなどを差し込み、収納皿２１を押し上げ、収納皿２１の被係合部１２０ａと化粧料収納室３５ａの係合部１２０との係合を解除させ、収納皿２１を取り外せるようになっている。
【００１７】
また、収納皿２１は金属でも合成樹脂でも成形可能であるが、合成樹脂製の場合成形の自由度が高い反面、金属製に比べて強度が劣るため、収納皿２１の肉厚が厚くなってしまう。金属で成形した場合の収納皿２１を図２に示す。
【００１８】
また、前記収納皿２１のコーナー部１３６内壁と化粧料収納室３５ａのコーナー部２３６内壁に設けられる係合部１２０と被係合部１２０ａは、収納皿２１を係合保持し、任意で解除できる構成であれば、係合部１２０、被係合部１２０ａは突設しても、凹設してもよい。また、係合部１２０および被係合部１２０ａの形状は、その頂点がコーナー部１３６、２３６の壁面に沿った形状でなく、直線的な形状のほうが望ましい。
【図面の簡単な説明】
【００１９】
【図１】本発明実施例の粉状化粧料容器の斜視図。
【図２】収納皿を金属で成形した場合の斜視図。
【符号の説明】
【００２０】
１    粉状化粧料
６    容器本体
８    蓋体
２１    収納皿
３５ａ    化粧料収納室
１２０    係合部
１２０ａ    係合凹部
１３６    コーナー部
２３６    コーナー部
【図１】
2005052506.tif 000003
【図２】
2005052506.tif 000004